(57)【要約】【課題】部品点数の削減を図り、且つ車載カメラにかかった荷重を好適に伝達することが可能な車載カメラ固定構造を提供する。【解決手段】本発明にかかる車載カメラ固定構造１００の構成は、車両前方を撮像する撮像部を有する車載カメラ１３０、撮像部のレンズおよびフロントガラス１０２の内面の曇りを防止するヒータ１４０を車室内に固定する車載カメラ固定構造において、車載カメラの前側でフロントガラス１０２に沿って傾斜していてフロントガラスに固定されるガラス被固定部１１２と、ガラス被固定部と一体であり車載カメラを支持する支持部１１４と、ガラス被固定部のうち下端よりも上方に形成されて車載カメラの撮像部を露出させる開口１２０と、開口の下縁から車載カメラの撮像部の下端まで延びていて下側にヒータが固定されるヒータ固定部１１６とを含むことを特徴とする。【選択図】図２
2020192964.tif 000002
【特許請求の範囲】
【請求項１】
車両前方を撮像する撮像部を有する車載カメラ、該撮像部のレンズおよびフロントガラス内面の曇りを防止するヒータを車室内に固定する車載カメラ固定構造において、
前記車載カメラの前側でフロントガラスに沿って傾斜していて該フロントガラスに固定されるガラス被固定部と、
前記ガラス被固定部と一体であり前記車載カメラを支持する支持部と、
前記ガラス被固定部のうち下端よりも上方に形成されて前記車載カメラの撮像部を露出させる開口と、
前記開口の下縁から前記車載カメラの撮像部の下端まで延びていて下側に前記ヒータが固定されるヒータ固定部とを含むことを特徴とする車載カメラ固定構造。
【請求項２】
当該車載カメラ固定構造はさらに、前記ヒータ固定部から車幅方向および車両後方に延びる延長部を含み、
前記延長部は、前記ガラス被固定部と直接的または間接的に接続されていることを特徴とする請求項１に記載の車載カメラ固定構造。
【請求項３】
前記支持部は、前記延長部の前記ヒータ固定部とは反対側で前記車載カメラの側面を覆う部材であり、
当該車載カメラ固定構造はさらに、
前記支持部を後方に開口するように切り欠くことで形成されていて前記車載カメラの側面から延びる所定の固定軸を支持するカメラ支持穴と、
前記延長部の後端から上方へ延び前記ガラス被固定部に接続されていて前記車載カメラの前面に当接するカメラ当接部と、
前記カメラ支持穴に配置され前記固定軸を弾性的に保持する弾性部材とを含むことを特徴とする請求項２に記載の車載カメラ固定構造。
【請求項４】
前記カメラ支持穴は、車幅方向で前記延長部に隣接していることを特徴とする請求項３に記載の車載カメラ固定構造。
【請求項５】
前記カメラ支持穴は、上下方向で前記カメラ当接部の上端から下端の間に配置されることを特徴とする請求項３または４に記載の車載カメラ固定構造。
【発明の詳細な説明】
【技術分野】
【０００１】
本発明は、車載カメラ固定構造に関するものである。
【背景技術】
【０００２】
車両では、フロントガラスの車内側に、車載カメラ、それのレンズおよびガラス内面の曇りを防止するヒータを設けることがある。例えば特許文献１では、電気回路の一部であり電熱線によって構成されたヒータを備える加熱装置が開示されている。また特許文献１の加熱装置は、ヒータから熱を受けることにより周囲に輻射熱を及ぼす被加熱部と、電気回路の一部でありヒータからの熱により加熱されるように被加熱部に配設され電流制限素とを更に備えている。
【先行技術文献】
【特許文献】
【０００３】
【特許文献１】特開２０１８−１４２５４２号公報
【発明の概要】
【発明が解決しようとする課題】
【０００４】
特許文献１にも例示されているように、従来の構成では、車載カメラおよびヒータはそれぞれ別のブラケットによって支持される。このような構成であると、部品点数が増えてしまうため、コストや工程数の増大が生じるという課題ある。また他の課題として、カメラの位置ずれを抑制するために、車載カメラにかかった荷重を他の部材に伝達することが可能な構造の開発が求められている。
【０００５】
本発明は、このような課題に鑑み、部品点数の削減を図り、且つ車載カメラにかかった荷重を好適に伝達することが可能な車載カメラ固定構造を提供することを目的としている。
【課題を解決するための手段】
【０００６】
上記課題を解決するために、本発明にかかる車載カメラ固定構造の代表的な構成は、車両前方を撮像する撮像部を有する車載カメラ、撮像部のレンズおよびフロントガラス内面の曇りを防止するヒータを車室内に固定する車載カメラ固定構造において、車載カメラの前側でフロントガラスに沿って傾斜していてフロントガラスに固定されるガラス被固定部と、ガラス被固定部と一体であり車載カメラを支持する支持部と、ガラス被固定部のうち下端よりも上方に形成されて車載カメラの撮像部を露出させる開口と、開口の下縁から車載カメラの撮像部の下端まで延びていて下側にヒータが固定されるヒータ固定部とを含むことを特徴とする。
【発明の効果】
【０００７】
本発明によれば、部品点数の削減を図り、且つ車載カメラにかかった荷重を好適に伝達することが可能な車載カメラ固定構造を提供することができる。
【図面の簡単な説明】
【０００８】
【図１】本実施例にかかる車載カメラ固定構造の全体図である。
【図２】図１の車載カメラ固定構造の固定部材を示す図である。
【図３】図２の固定部材を側方から観察した状態を示す図である。
【図４】図２の固定部材を前方および後方から観察した状態を示す図である。
【図５】図２の固定部材を下方から観察した斜視図である。
【発明を実施するための形態】
【０００９】
本発明の一実施の形態にかかる車載カメラ固定構造は、車両前方を撮像する撮像部を有する車載カメラ、撮像部のレンズおよびフロントガラス内面の曇りを防止するヒータを車室内に固定する車載カメラ固定構造において、車載カメラの前側でフロントガラスに沿って傾斜していてフロントガラスに固定されるガラス被固定部と、ガラス被固定部と一体であり車載カメラを支持する支持部と、ガラス被固定部のうち下端よりも上方に形成されて車載カメラの撮像部を露出させる開口と、開口の下縁から車載カメラの撮像部の下端まで延びていて下側にヒータが固定されるヒータ固定部とを含むことを特徴とする。
【００１０】
上記構成によれば、ヒータによってヒータ固定部を加熱し、車載カメラのレンズ前方の空間を温めることにより、撮像部およびガラスにおける結露に起因する曇りを防ぐことができる。したがって、温度状況による車載カメラの性能悪化を好適に防ぐことが可能となる。このとき、支持部において車載カメラが支持され、支持部と一体のガラス被固定部の開口の下縁に形成されたヒータ固定部にヒータが固定される。したがって、部品点数を減らすことができるため、コストおよび工程数の削減を図ることが可能となる。
【００１１】
また上記構成では、ガラス被固定部がフロントガラスに固定されている。これにより、車両の通常の走行時、車載カメラおよびヒータの重量は、支持部ひいてはガラス被固定部を介してフロントガラスに伝達される。したがって、車載カメラの位置ずれを好適に抑制することが可能となる。
【００１２】
更に、車載カメラを初めて車両に搭載するとき、支持部およびヒータ固定部には、車載カメラおよびヒータ自体の重量だけでなく、作業者による力なども含んだ、過度な荷重がかかる。すなわちこの荷重によって、傾斜しているガラス被固定部は、開口の下縁を回転軸として、ガラス被固定部の上端がフロントガラスから離れるように回転しようとする。
【００１３】
しかし本発明によれば、開口は、ガラス被固定部のうち下端よりも上方に形成されている。言い換えれば、開口の下にも、フロントガラスに沿って傾斜したガラス被固定部は連続している。このガラス被固定部の下端は、過度な荷重が入力された場合に、フロントガラスと干渉する役割を果たすため、車載カメラの搭載時にかかった過度な荷重を効率的にフロントガラスに伝達し、車載カメラの位置ずれを好適に抑制することが可能となる。
【００１４】
当該車載カメラ固定構造はさらに、ヒータ固定部から車幅方向および車両後方に延びる延長部を含み、延長部は、ガラス被固定部と直接的または間接的に接続されているとよい。かかる構成によれば、延長部によってヒータ固定部の剛性を高めることができる。
【００１５】
また延長部がヒータ固定部から延長されていることにより、ヒータ固定部に沿った荷重をフロントガラスに向けて効率的に伝達することが可能となる。更に、延長部がガラス被固定部と接続されていることにより、車載カメラにかかった荷重が延長部を介してフロントガラスに伝達される。これにより、荷重をより効率的にフロントガラスに伝達することができ、上述した効果を高めることが可能となる。
【００１６】
上記支持部は、延長部のヒータ固定部とは反対側で車載カメラの側面を覆う部材であり、当該車載カメラ固定構造はさらに、支持部を後方に開口するように切り欠くことで形成されていて車載カメラの側面から延びる所定の固定軸を支持するカメラ支持穴と、延長部の後端から上方へ延びガラス被固定部に接続されていて車載カメラの前面に当接するカメラ当接部と、カメラ支持穴に配置され固定軸を弾性的に保持する弾性部材とを含むとよい。
【００１７】
このように弾性部材によってカメラ支持穴における車載カメラの固定軸を弾性的に保持することにより、車載カメラの固定軸の過度な進入を防ぐことができる。またカメラ当接部が車載カメラの前面に当接することにより、車載カメラの固定軸をカメラ支持穴に対して車両後方から挿入する際にかかる荷重を、カメラ当接部を介してフロントガラスに伝達することが可能となる。
【００１８】
上記カメラ支持穴は、車幅方向で延長部に隣接しているとよい。これにより、カメラ支持穴近傍の剛性を高めることができる。
【００１９】
上記カメラ支持穴は、上下方向でカメラ当接部の上端から下端の間に配置されるとよい。これにより、車載カメラにかかった荷重を、カメラ当接部を介してフロントガラスに効率的に伝達することが可能となる。
【実施例】
【００２０】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
図１は、本実施例にかかる車載カメラ固定構造１００の全体図である。図２は、図１の車載カメラ固定構造１００の固定部材１１０を示す図である。図１に示すように、本実施例の車載カメラ固定構造１００では、固定部材１１０によって車載カメラ１３０およびヒータ１４０（図２参照）を車両１００ａのフロントガラス１０２の車室内に固定する。
【００２２】
図２に示すように、本実施例の車載カメラ固定構造１００では、車載カメラ１３０は、カメラ本体１３２、およびカメラ本体１３２の前側に配置されて車両前方を撮像する撮像部１３４を有する。また車載カメラ固定構造１００では、撮像部１３４のレンズの曇りを防止するヒータ１４０（破線にて図示）が、固定部材１１０によってフロントガラス１０２の車室内に固定される。
【００２３】
図３は、図２の固定部材１１０を側方から観察した状態を示す図である。図４は、図２の固定部材１１０を前方および後方から観察した状態を示す図である。図４（ａ）は、図２の固定部材１１０を前方から観察した状態を示す図であり、図４（ｂ）は、図２の固定部材１１０を後方から観察した状態を示す図である。
【００２４】
図２、図３および図４に示すように、固定部材１１０は、ガラス被固定部１１２、支持部１１４、ヒータ固定部１１６を含んで構成される。図３に示すように、ガラス被固定部１１２は、車載カメラ１３０の前側でフロントガラス１０２に沿って傾斜する部位であり、固定箇所１１２ａにおいてフロントガラス１０２に固定される。
【００２５】
図３に示すように、支持部１１４は、ガラス被固定部１１２と一体に形成され、車載カメラ１３０を支持する部位である。また図４（ａ）および（ｂ）に示すように、ガラス被固定部１１２のうち下端よりも上方には、車載カメラ１３０の撮像部１３４を露出させる開口１２０が形成されている。ヒータ固定部１１６は、開口１２０の下縁から車載カメラ１３０の撮像部１３４の下端までの間に延びていて、下側にヒータ１４０が固定される。
【００２６】
上記構成のように車載カメラ固定構造１００が車載カメラ１３０とともにヒータ１４０を備えることにより、ヒータ１４０によってヒータ固定部１１６を加熱することができ、撮像部１３４とフロントガラス１０２で形成される空間を温め、結露による曇りを防ぐことが可能となる。したがって、温度状況による車載カメラ１３０の性能悪化を好適に防ぐことができる。このとき、支持部１１４において車載カメラ１３０が支持され、支持部１１４と一体のガラス被固定部１１２の開口１２０の下縁に形成されたヒータ固定部１１６にヒータ１４０が固定される。したがって、部品点数を減らすことができ、コストおよび工程数の削減を図ることが可能となる。
【００２７】
また上記構成では、固定部材１１０は、ガラス被固定部１１２の固定箇所１１２ａ、１１２ｂにおいてフロントガラス１０２に固定される。これにより、車両１００ａの通常の走行時、車載カメラ１３０およびヒータ１４０の重量は、支持部１１４ひいてはガラス被固定部１１２を介してフロントガラス１０２に伝達される。したがって、車載カメラ１３０の位置ずれを好適に抑制することが可能となる。
【００２８】
更に、車載カメラ１３０を初めて車両１００ａに搭載するとき、支持部１１４およびヒータ固定部１１６には、車載カメラ１３０およびヒータ１４０自体の重量だけでなく、作業者による力なども含んだ、過度な荷重がかかる。このような荷重がかかると、傾斜しているガラス被固定部１１２は、開口１２０の下縁を回転軸として、ガラス被固定部１１２の上端がフロントガラス１０２から離れるように回転しようとする。
【００２９】
このとき、本実施例の車載カメラ固定構造１００では、開口１２０は、ガラス被固定部１１２のうち下端よりも上方に形成されていて、開口１２０の下にも、フロントガラス１０２に沿って傾斜したガラス被固定部１１２は連続している。ガラスの被固定部１１２の固定箇所１１２a、１１２ｂがフロントガラス１０２と接合（実施例では接着）しており、過荷重が入力された場合には、ガラス被固定部の下端１１８がフロントガラス１０２と干渉する役割を果たすため、車載カメラ１３０の搭載時にかかった過度な荷重を効率的にフロントガラス１０２に伝達し、車載カメラ１３０の位置ずれを好適に抑制することが可能となる。
【００３０】
図５は、図２の固定部材１１０を下方から観察した斜視図である。図示の都合上、図５では、図２の車載カメラ１３０を不図示としている。図５に示すように、本実施例の車載カメラ固定構造１００の固定部材１１０は、ヒータ固定部１１６から車幅方向および車両後方に延びる延長部１２２を有する。これにより、延長部１２２によってヒータ固定部１１６の剛性を高めることができる。また延長部１２２がヒータ固定部１１６から延長されていることにより、ヒータ固定部１１６に沿った荷重をフロントガラス１０２（図１参照）に向けて効率的に伝達することが可能となる。
【００３１】
上述した支持部１１４は、延長部１２２のヒータ固定部１１６とは反対側で車載カメラ（図２参照）の側面を覆っている。また延長部１２２の後端からは、車載カメラの前面に当接するカメラ当接部１２４が上方へ向かって延びていて、カメラ当接部１２４はガラス被固定部１１２に接続される。本実施例の車載カメラ固定構造１００では、延長部１２２は、カメラ当接部１２４を介して間接的にガラス被固定部１１２に接続される。
【００３２】
上述したように延長部１２２がガラス被固定部１１２に接続されることにより、車載カメラ１３０にかかった荷重を、延長部１２２を介してフロントガラス１０２に伝達することができる。これにより、荷重をより効率的にフロントガラス１０２に伝達することができ、上述した効果を高めることが可能となる。
【００３３】
なお、本実施例では、延長部１２２がカメラ当接部１２４を介して間接的にガラス被固定部１１２に接続される構成を例示したが、これに限定するものではない。延長部１２２がガラス被固定部１１２に直接的に接続される構成であっても同様の効果を得ることが可能である。
【００３４】
再度、図３を参照する。図３に示すように、本実施例の車載カメラ固定構造１００は、固定部材に形成されたカメラ支持穴１２６、および弾性部材１５０を有する。カメラ支持穴１２６は、固定部材１１０の支持部１１４を後方に開口するように切り欠くことで形成されていて、車載カメラ１３０の側面から延びる所定の固定軸１３６を支持する。弾性部材１５０は、カメラ支持穴１２６に配置され、車載カメラ１３０の固定軸１３６を弾性的に保持する。弾性部材１５０としては、例えば板バネを好適に用いることができる。
【００３５】
車載カメラ１３０の固定軸１３６は、車両後方からカメラ支持穴１２６に挿入され、弾性部材１５０によって保持される。これにより、車載カメラ１３０の固定軸１３６の過度な進入を防ぐことができる。また上述したように、カメラ当接部１２４は車載カメラ１３０の前面に当接する。これにより、車載カメラ１３０の固定軸１３６をカメラ支持穴１２６に対して車両後方から挿入する際にかかる荷重を、カメラ当接部１２４を介してフロントガラス１０２に伝達することが可能となる。
【００３６】
更に、図５に示すように、カメラ支持穴１２６は、車幅方向で延長部１２２およびカメラ当接部１２４に隣接する位置に配置されている。これにより、延長部１２２およびカメラ当接部１２４によってカメラ支持穴１２６近傍の剛性を高めることが可能となる。
【００３７】
また図３に示すように、カメラ支持穴１２６は、上下方向でカメラ当接部１２４（破線にて図示）の上端から下端の間に配置される。これにより、カメラ支持穴１２６近傍の剛性を更に高めることができるとともに、車載カメラ１３０にかかった荷重を、カメラ当接部１２４を介してフロントガラス１０２に効率的に伝達することが可能となる。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、車載カメラ固定構造に利用することができる。
【符号の説明】
【００４０】
１００…車載カメラ固定構造、１００ａ…車両、１０２…フロントガラス、１１０…固定部材、１１２…ガラス被固定部、１１２ａ、１１２ｂ…固定箇所、１１４…支持部、１１６…ヒータ固定部、１１８…ガラス被固定部の下端、１２０…開口、１２２…延長部、１２４…カメラ当接部、１２６…カメラ支持穴、１３０…車載カメラ、１３２…カメラ本体、１３４…撮像部、１３６…固定軸、１４０…ヒータ、１５０…弾性部材
【図１】
2020192964.tif 000003
【図２】
2020192964.tif 000004
【図３】
2020192964.tif 000005
【図４】
2020192964.tif 000006
【図５】
2020192964.tif 000007